(57)【要約】【課題】異なる規格のパレンタルレベルが設定された各コンテンツ情報を再生するものであり、基準レベルの指定に関する利便性を向上させることが可能な再生装置を提供する。【解決手段】複数種の規格のパレンタルレベルのうちの何れが設定されたコンテンツ情報をも再生する再生装置であって、複数のレベルからなる共通レベルについて、任意のレベルの指定を受付ける指定受付部と、共通レベルの各レベルを規格ごとのパレンタルレベルの何れかのレベルに対応付ける対応情報を、格納する対応情報格納部と、再生対象のコンテンツ情報に設定されたパレンタルレベルと基準レベルとの比較結果に応じて、再生の制限を行う再生制限部と、を備え、再生制限部は、指定のなされた共通レベルに対応付けられているパレンタルレベルのうち、再生対象のコンテンツ情報に設定されたパレンタルレベルの規格のものを、基準レベルとする再生装置とする。【選択図】図６
2012105003.tif 000002
【特許請求の範囲】
【請求項１】
複数種の規格のパレンタルレベルのうちの、何れが設定されたコンテンツ情報についても再生を行う再生装置であって、
複数のレベルからなる共通レベルについて、任意のレベルの指定を受付ける指定受付部と、
前記共通レベルの各レベルを前記規格ごとの前記パレンタルレベルの何れかのレベルに対応付ける対応情報を、格納する対応情報格納部と、
再生対象のコンテンツ情報に設定されたパレンタルレベルと基準レベルとの比較結果に応じて、前記再生の制限を行う再生制限部と、を備え、
前記再生制限部は、
前記指定のなされた共通レベルに対応付けられているパレンタルレベルのうち、再生対象のコンテンツ情報に設定されたパレンタルレベルの規格のものを、前記基準レベルとすることを特徴とする再生装置。
【請求項２】
前記複数種の規格には、第１規格および第２規格が含まれ、
第１規格のパレンタルレベルの段階数と、第２規格のパレンタルレベルの段階数は、互いに異なっていることを特徴とする請求項１に記載の再生装置。
【請求項３】
ＢＤ−ＲＯＭの再生機能およびＤＶＤ−Ｖｉｄｅｏの再生機能を備えた請求項２に記載の再生装置であって、
前記第１規格は、ＢＤ−ＲＯＭについての規格であり、
前記第２規格は、ＤＶＤ−Ｖｉｄｅｏについての規格であることを特徴とする再生装置。
【請求項４】
前記共通レベルの各レベルは、
前記第２規格のパレンタルレベルの各レベルに、一対一に対応していることを特徴とする請求項２または請求項３に記載の再生装置。
【請求項５】
前記再生の制限は、
前記再生が実行されないようにする処理であることを特徴とする請求項１から請求項４の何れかに記載の再生装置。
【請求項６】
前記指定受付部は、
前記共通レベルの一覧をディスプレイに表示させ、
前記一覧に示されている共通レベルの何れかをユーザに選択させるようにして、前記指定を受付けることを特徴とする請求項１から請求項５の何れかに記載の再生装置。
【発明の詳細な説明】
【技術分野】
【０００１】
本発明はコンテンツ情報を再生する再生装置に関し、特にパレンタルレベルに応じた処理を行うものに関する。
【背景技術】
【０００２】
従来、各種のソースからコンテンツ情報（映像等から成るコンテンツの情報）を取得し、これを再生する再生装置が広く利用されている。また製作されるコンテンツの種類も多岐に亘り、中には、子供に視聴させることが好ましくないコンテンツや、大人向けのシーンが含まれたコンテンツも存在する。
【０００３】
このような事情から、従来、パレンタルレベル（視聴制限レベル）に応じた視聴制限の可能な再生装置も利用されている。当該再生装置によれば、本装置に予め設定されている基準レベル（パレンタルレベルのうちの何れかのレベルに相当）が、コンテンツ情報に設定されているパレンタルレベルより厳しい（低い）ときに、視聴制限が必要と判定され、当該コンテンツ情報の再生が制限される。
【０００４】
また、互いに異なる規格のパレンタルレベルが設定された各コンテンツ情報を、再生する機能を備えた再生装置も存在する。一例を挙げれば、ＢＤ−ＲＯＭの再生機能とＤＶＤ−Ｖｉｄｅｏの再生機能を備えたディスク再生装置が、これに該当する。
【０００５】
なおＢＤ−ＲＯＭに記録されるコンテンツ情報には、ＢＤ−ＲＯＭについての規格（本願では、「ＢＤ−ＲＯＭ規格」と称することがある）によるパレンタルレベルが設定され、ＤＶＤ−Ｖｉｄｅｏに記録されるコンテンツ情報には、ＤＶＤ−Ｖｉｄｅｏについての規格（本願では、「ＤＶＤ−Ｖｉｄｅｏ規格」と称することがある）によるパレンタルレベルが設定される。
【０００６】
何れの規格のパレンタルレベルも、再生の許容レベルを表す点では共通しているが、その形式などは規格によって異なっている。例えばＤＶＤ−Ｖｉｄｅｏ規格によるパレンタルレベルは、「１、２、３、・・・、８、ＯＦＦ」の９段階となっているが、ＢＤ−ＲＯＭ規格によるパレンタルレベルは、「０、１、２、・・・２５５」の２５６段階となっている。
【０００７】
また異なる規格によるパレンタルレベルはそれぞれ別であるため、当該ディスク再生装置は基準レベルの設定に際し、ＢＤ−ＲＯＭとＤＶＤ−Ｖｉｄｅｏについて別々に、ユーザによる基準レベルの指定を受付けるようになっている。
【０００８】
例えばディスク再生装置は、図７に示す選択肢の何れか一つを、ＤＶＤ−ＶｉｄｅｏとＢＤ−ＲＯＭについて別々にユーザに指定させる。なお、ＤＶＤ−ＶｉｄｅｏおよびＢＤ−ＲＯＭについての各選択肢は、パレンタルレベルの１レベル分に対応している。
【０００９】
そしてディスク再生装置は、図８に示すテーブル情報（選択肢とパレンタルレベルの対応関係を表す情報）を参照し、ＤＶＤ−Ｖｉｄｅｏについて指定された選択肢に対応するパレンタルレベルを、ＤＶＤ−Ｖｉｄｅｏ用基準レベルに設定する。またディスク再生装置は、図９に示すテーブル情報（選択肢とパレンタルレベルの対応関係を表す情報）を参照し、ＢＤ−ＲＯＭについて指定された選択肢に対応するパレンタルレベルを、ＢＤ−ＲＯＭ用基準レベルに設定する。
【００１０】
これにより以降、ディスク再生装置は、ＤＶＤ−Ｖｉｄｅｏを再生する際には、ＤＶＤ−Ｖｉｄｅｏ用基準レベルを基準レベルとして視聴制限の要否を判定し、ＢＤ−ＲＯＭを再生する際には、ＢＤ−ＲＯＭ用基準レベルを基準レベルとして視聴制限の要否を判定する。
【先行技術文献】
【特許文献】
【００１１】
【特許文献１】特表２００８−５１１９４２号公報
【特許文献２】特開２００７−１４１３３６号公報
【特許文献３】特開２００６−１９７４３２号公報
【特許文献４】特表２００５−５３２６２６号公報
【特許文献５】特開２００５−０４４３８８号公報
【発明の概要】
【発明が解決しようとする課題】
【００１２】
上述したディスク再生装置によれば、ユーザは、ＢＤ−ＲＯＭ用基準レベルとＤＶＤ−Ｖｉｄｅｏ用基準レベルを、それぞれ別々に指定することが可能である。しかしＢＤ−ＲＯＭとＤＶＤ−Ｖｉｄｅｏの何れを再生するかによって、ユーザが、基準レベルの厳しさを変えようとすることは稀である。殆どのユーザは、どの種類のディスクを再生するかに関わらず、基準レベルの厳しさを同等にしようとすると見込まれる。
【００１３】
このような事情に鑑みれば、ＢＤ−ＲＯＭ用基準レベルの指定とＤＶＤ−Ｖｉｄｅｏ用基準レベルの指定の両方をユーザに強いることは、多くの場合、ユーザに必要以上の手間をかけることになる。
【００１４】
また、各規格のパレンタルレベルの両方を熟知していないユーザにとっては、例えば基準レベルの厳しさをディスクの種類によらず同等にしようとしても、そうなるように各基準レベルの指定を行うことは容易ではない。このように上述したディスク再生装置は、基準レベルの指定に関する利便性に課題があると言える。
【００１５】
なおこのことは上述したディスク再生装置に限られず、異なる規格のパレンタルレベルが設定された各コンテンツ情報を再生する種々の再生装置において、問題となり得る。本発明は上述した問題に鑑みて、異なる規格のパレンタルレベルが設定された各コンテンツ情報を再生するものでありながら、基準レベルの指定に関する利便性を向上させることが可能な、再生装置の提供を目的とする。
【課題を解決するための手段】
【００１６】
上記目的を達成するため本発明に係る再生装置は、複数種の規格のパレンタルレベルのうちの、何れが設定されたコンテンツ情報についても再生を行う再生装置であって、複数のレベルからなる共通レベルについて、任意のレベルの指定を受付ける指定受付部と、前記共通レベルの各レベルを前記規格ごとの前記パレンタルレベルの何れかのレベルに対応付ける対応情報を、格納する対応情報格納部と、再生対象のコンテンツ情報に設定されたパレンタルレベルと基準レベルとの比較結果に応じて、前記再生の制限を行う再生制限部と、を備え、前記再生制限部は、前記指定のなされた共通レベルに対応付けられているパレンタルレベルのうち、再生対象のコンテンツ情報に設定されたパレンタルレベルの規格のものを、前記基準レベルとする構成とする。
【００１７】
本構成によれば、ユーザは、各規格についての基準レベルの指定を、共通レベルの指定として纏めて行うことが可能となる。そのため基準レベルの指定に関する利便性を、向上させることが可能となる。なおここでの「再生」は、本機において再生対象の映像表示などが行われる形態だけでなく、他機（ディスプレイを備えた機器など）を用いてコンテンツ情報を再生させるために、再生内容を表す信号を出力すること等も含む概念である。
【００１８】
また上記構成としてより具体的には、前記複数種の規格には、第１規格および第２規格が含まれ、第１規格のパレンタルレベルの段階数と、第２規格のパレンタルレベルの段階数は、互いに異なっている構成としてもよい。
【００１９】
またＢＤ−ＲＯＭの再生機能およびＤＶＤ−Ｖｉｄｅｏの再生機能を備えた、上記構成の再生装置において、前記第１規格は、ＢＤ−ＲＯＭについての規格であり、前記第２規格は、ＤＶＤ−Ｖｉｄｅｏについての規格である構成としてもよい。
【００２０】
また上記構成において、前記共通レベルの各レベルは、前記第２規格のパレンタルレベルの各レベルに、一対一に対応している構成としてもよい。本構成によれば、ユーザは、第２規格のパレンタルレベルに対する基準レベルを指定するような感覚で、何れの規格のパレンタルレベルに対する基準レベルをも指定することが可能となる。
【００２１】
また上記構成としてより具体的には、前記再生の制限は、前記再生が実行されないようにする処理である構成としてもよい。
【００２２】
また上記構成において、前記指定受付部は、前記共通レベルの一覧をディスプレイに表示させ、前記一覧に示されている共通レベルの何れかをユーザに選択させるようにして、前記指定を受付ける構成としてもよい。
【００２３】
本構成によれば、ユーザにとって、共通レベルの全体像を認識しながら所望の共通レベルを指定することが容易となる。
【発明の効果】
【００２４】
上述したように本発明に係る再生装置によれば、ユーザは、各規格についての基準レベルの指定を、共通レベルの指定として纏めて行うことが可能となる。そのため基準レベルの指定に関する利便性を、向上させることが可能となる。
【図面の簡単な説明】
【００２５】
【図１】本発明の実施形態に係るディスク再生装置およびその周辺機器に関するブロック図である。
【図２】当該ディスク再生装置の外観図である。
【図３】当該ディスク再生装置が行う動作のフローチャートである。
【図４】当該ディスク再生装置が行う動作の別のフローチャートである。
【図５】視聴制限設定画面に関する説明図である。
【図６】パレンタルレベル変換テーブルに関する説明図である。
【図７】従来例における基準レベルの設定に関する説明図である。
【図８】従来例における基準レベルの設定に関する説明図である。
【図９】従来例における基準レベルの設定に関する説明図である。
【発明を実施するための形態】
【００２６】
本発明の実施形態について、各種ディスク（ＢＤ−ＲＯＭおよびＤＶＤ−Ｖｉｄｅｏ）の再生機能を備えたディスク再生装置を挙げて、以下に説明する。
【００２７】
［ディスク再生装置の構成等について］
図１は、当該ディスク再生装置１およびその周辺機器に関するブロック図である。本図に示すようにディスク再生装置１は、ディスク読取部１１、ＨＤＤ［Hard Disk Drive］１２、再生信号生成部１３、信号出力部１４、付属ディスプレイ１５、制御部１６、および操作部１７などを備えている。またディスク再生装置１には、ディスプレイ３１を有する画像表示機器３（例えばテレビ受像機）が接続される。
【００２８】
また図２は、ディスク再生装置１の外観図である。本図に示すように、ディスク再生装置１は、全体的に見て各種部品が筐体１８に収納された形態の本体と、本体の遠隔操作を可能とするリモコン送信機１７ｃが設けられている。本体は、筐体１８の前面側（図２の手前側）がユーザに対面するように設置される。筐体１８の前面側には、付属ディスプレイ１５、押しボタンスイッチ１７ａ、リモコン受信部１７ｂ、およびディスク挿入口１９などが設けられている。
【００２９】
ディスク読取部１１は、制御部１６の指示に応じて、ディスク挿入口１９に挿入されているディスク２（コンテンツ情報が記録されている）から、コンテンツ情報を読取って後段側に送出する。ディスク読取部１１は、ディスク２がＢＤ−ＲＯＭとＤＶＤ−Ｖｉｄｅｏの何れであっても、コンテンツ情報を読取ることが可能となっている。なおコンテンツ情報の形態は特に問わないが、本実施形態では、少なくともコンテンツの映像データが含まれているとする。
【００３０】
ここでディスク２に記録されているコンテンツ情報には、例えばディスク２の作成者により、そのコンテンツの内容に応じたパレンタルレベルが設定されている。ＢＤ−ＲＯＭに記録されているコンテンツ情報には、ＢＤ−ＲＯＭ規格によるパレンタルレベルが設定されており、ＤＶＤ−Ｖｉｄｅｏに記録されているコンテンツ情報には、ＤＶＤ−Ｖｉｄｅｏ規格によるパレンタルレベルが設定されている。
【００３１】
なおＤＶＤ−Ｖｉｄｅｏ規格によるパレンタルレベルは、「１、２、３、・・・、８、ＯＦＦ」の９段階となっており、ＢＤ−ＲＯＭ規格によるパレンタルレベルは、「０、１、２、・・・２５５」の２５６段階となっている。何れも再生の許容レベルを表しており、一般的に、視聴制限の必要性が高いコンテンツ情報に対しては、高いレベルのパレンタルレベルが設定される。
【００３２】
ＨＤＤ１２は、コンテンツ情報の記録（録画）に用いられる。ＨＤＤ１２に記録されたコンテンツ情報は、制御部１６の指示に応じて、後段側に送出される。なおＨＤＤ１２は、ディスク再生装置１の本体に内蔵された形態であっても良く、ディスク再生装置１の本体に外付けされた形態であっても良い。
【００３３】
再生信号生成部１３は、ディスク読取部１１もしくはＨＤＤ１２から送出されるコンテンツ情報を受取り、このコンテンツ情報を再生させるための再生信号を生成して、信号出力部１４に送出する。
【００３４】
信号出力部１４は、再生信号生成部１３から受取った再生信号を、外部機器（画像表示機器３）へ出力する。また信号出力部１４は、制御部１６の指示に応じ、各種の画面（後述するパスワード入力画面や視聴制限設定画面など）を表す信号を、外部機器（画像表示機器３）へ出力する。
【００３５】
なお画像表示機器３は、ディスク再生装置１から信号が入力されると、この信号が表すコンテンツや各種の画面をディスプレイ３１に表示する。そのためディスク再生装置１は、画像表示機器３への信号出力によって、コンテンツや各種画面をディスプレイに３１に表示させることが可能となっている。また付属ディスプレイ１５は、ディスク再生装置１の本体に付属しているディスプレイであり、現在時刻や再生状況などの簡易な情報表示に用いられる。
【００３６】
制御部１６は、例えばＣＰＵによって形成されており、ディスク再生装置１が適切に動作するように、ディスク再生装置１の各部を制御する。ディスク再生装置１が行う主な動作については、改めて説明する。なお制御部１６は、制御に関わる情報が格納されているメモリ（ＲＯＭ等）が設けられており、必要に応じて当該情報を参照する。なお当該メモリに格納されている情報には、後述するパレンタルレベル変換テーブル（図６を参照）が含まれている。
【００３７】
操作部１７は、操作スイッチ１７ａおよびリモコン装置（リモコン受光部１７ｂおよびリモコン送信機１７ｃを含む）を有しており、ユーザの操作を受付ける。操作内容は制御部２７に伝えられるようになっており、これにより、ディスク再生装置１の動作にユーザの意図を反映させることが可能となっている。
【００３８】
［ディスク再生装置の動作等について］
次に、ディスク再生装置１が実行する主な動作について、図３および図４に示すフローチャートを参照しながら、以下に説明する。
【００３９】
ディスク再生装置１は通常時、ユーザによる視聴制限設定動作の実行指示（ステップＳ１）、録画動作の実行指示（ステップＳ２）、および再生動作の実行指示（ステップＳ３）の各指示を待機する。なお再生動作の実行指示には、再生対象の指示（ディスク２或いはＨＤＤ１２に記録されているコンテンツ情報のうち、どのコンテンツ情報を再生させるかの指示）も含まれているとする。
【００４０】
そして視聴制限設定動作の実行指示があったとき（ステップＳ１のＹ）、ディスク再生装置１は、基準レベルを設定するための視聴制限設定動作を実行する（ステップＳ４）。視聴制限設定動作は、具体的には以下に説明する手順（図４のフローチャートを参照）で進められる。
【００４１】
まずディスク再生装置１は、画像表示機器３への信号出力を通じて、所定のパスワード入力画面をディスプレイ３１に表示させ、ユーザにパスワードの入力を要求する（ステップＳ１１）。なおディスク再生装置１は、初回の入力時には任意のパスワードを入力させて登録するようにし、２回目以降の入力時に、登録したパスワードの入力を要求するようになっていても良い。
【００４２】
そして正しいパスワードが入力されたら（ステップＳ１２のＹ）、ディスク再生装置１は、画像表示機器３への信号出力を通じて、所定の視聴制限設定画面をディスプレイ３１に表示させる（ステップＳ１３）。この視聴制限設定画面には、図５に示すように、「Ｌｅｖｅｌ１」から「規制なし」までの９個の選択肢（共通レベルの一覧）が含まれている。
【００４３】
なおこれらの選択肢は、共通レベル（視聴制限の要否判定における厳しさの度合）を表している。共通レベルは厳しい側から順に、「Ｌｅｖｅｌ１」（最も厳しい）、「Ｌｅｖｅｌ２」、「Ｌｅｖｅｌ３」、・・・、「規制なし」（最も厳しくない）となっている。
【００４４】
視聴制限設定画面が表示されている状況において、ディスク再生装置１は、ユーザによる何れか一つの選択肢の指定を待機する。このときユーザは、操作部１７を通じて矢印４１を移動させ、任意の選択肢（所望の厳しさを表す基準レベル）を指定することが可能となっている。
【００４５】
このようにディスク再生装置１は、一覧に示されている共通レベルの何れかをユーザに選択させるようにして、任意の共通レベルの指定を受付ける。そのためユーザにとって、共通レベルの全体像を認識しながら所望の共通レベルを指定することが、容易となっている。なお、ユーザに任意の共通レベルを指定させる形態については、上述したものの他、様々な形態を採ることが可能である。
【００４６】
そしてユーザが何れか一つの選択肢を指定すると（ステップＳ１４のＹ）、ディスク再生装置１は、指定された共通レベルに対応するＢＤ−ＲＯＭ規格のパレンタルレベルを、ＢＤ−ＲＯＭ用基準レベルに設定する（ステップＳ１５）。そして更に、ディスク再生装置１は、指定された共通レベルに対応するＤＶＤ−Ｖｉｄｅｏ規格のパレンタルレベルを、ＤＶＤ−Ｖｉｄｅｏ用基準レベルに設定する（ステップＳ１６）。
【００４７】
これらの動作（ステップＳ１５およびＳ１６）の実行に際しては、図６に示すテーブル情報（以下、「パレンタルレベル変換テーブル」と称する）が参照される。パレンタルレベル変換テーブルは、共通レベルの各レベルを、ＢＤ−ＲＯＭ規格とＤＶＤ−Ｖｉｄｅｏ規格の各々（つまり規格ごと）のパレンタルレベルの何れかのレベルに、対応付ける情報である。
【００４８】
図６によれば、例えば、「Ｌｅｖｅｌ７」の共通レベルは、ＢＤ−ＲＯＭ規格のパレンタルレベルについては「１８」に対応付けられており、ＤＶＤ−Ｖｉｄｅｏ規格のパレンタルレベルについては「７」に対応付けられている。なおパレンタルレベル変換テーブルが、どのような方針で作成されているかについては、改めて説明する。
【００４９】
ディスク再生装置１は、上述したパレンタルレベル変換テーブルを参照し、例えば指定された共通レベルが「Ｌｅｖｅｌ７」であれば、ＢＤ−ＲＯＭ用基準レベルを「１８」に設定し、ＤＶＤ−Ｖｉｄｅｏ用基準レベルを「７」に設定する。ステップＳ１６の動作が完了することにより、今回の視聴制限設定動作（ステップＳ４）は完了し、ディスク再生装置１の動作はステップＳ１に戻る。なお設定された内容は、次回の視聴制限設定動作によって更新されるまで、そのまま保持される。
【００５０】
図３に戻り、録画動作の実行指示があると（ステップＳ２のＹ）、ディスク再生装置１は、ディスク２に記録されているコンテンツ情報を読取って、ＨＤＤ１２に記録する動作（録画動作）を実行する（ステップＳ５）。このとき、当該コンテンツ情報に設定されたパレンタルレベルも、当該コンテンツ情報とともにＨＤＤ１２に記録される。録画動作が完了したら、ステップＳ１の動作に戻る。
【００５１】
また再生動作の実行指示があったとき（ステップＳ３のＹ）、ディスク再生装置１は先ず、基準レベルが再生対象に設定されているパレンタルレベルより厳しい（低い）か否かを判別する（ステップＳ６）。
【００５２】
なおこのとき、再生対象に設定されているパレンタルレベルがＢＤ−ＲＯＭ規格によるものである場合には、先述したＢＤ−ＲＯＭ用基準レベルが基準レベルとして用いられる。一方、再生対象に設定されているパレンタルレベルがＤＶＤ−Ｖｉｄｅｏ規格によるものである場合には、先述したＤＶＤ−Ｖｉｄｅｏ用基準レベルが基準レベルとして用いられる。
【００５３】
基準レベルが再生対象に設定されているパレンタルレベルより厳しくない、と判別された場合には（ステップＳ６のＮ）、ディスク再生装置１は、再生対象であるコンテンツ情報を再生する動作（再生動作）を実行する（ステップＳ７）。すなわちディスク再生装置１は、再生対象であるコンテンツ情報の再生信号を生成し、画像表示機器３へ出力する。これにより、画像表示機器３を用いることによる再生対象の再生が実現される。再生動作が完了したら、ステップＳ１の動作に戻る。
【００５４】
一方で、基準レベルが再生対象に設定されているパレンタルレベルより厳しい、と判別された場合には（ステップＳ６のＹ）、ディスク再生装置１は、再生対象の再生動作（ステップＳ７）を行うことなく、ステップＳ１の動作に戻る。
【００５５】
すなわちディスク再生装置１は、再生対象の再生の制限として、再生が実行されないようにする処理（再生を禁止する処理と見ることもできる）を行う。なおこのときディスク再生装置１は、「再生させようとしているコンテンツは、視聴制限の対象となっています」といったメッセージを、ディスプレイ３に表示させるようになっていても良い。
【００５６】
また更にディスク再生装置１は、ユーザにパスワードの入力を求め、正しいパスワードが入力されたときは、今回の再生対象については再生の制限を解除する（制限の一時解除を行う）ようになっていても構わない。
【００５７】
［パレンタルレベル変換テーブルについて］
上述したようにディスク再生装置１によれば、ユーザによる一つの共通レベルの指定がなされると、パレンタルレベル変換テーブルに基づいて、この共通レベルに対応した基準レベルが各規格について設定される（ステップＳ１４〜Ｓ１６の説明を参照）。このようにディスク再生装置１によれば、ユーザは、ＢＤ−ＲＯＭについての基準レベルの指定と、ＤＶＤ−Ｖｉｄｅｏについての基準レベルの指定の両方を、共通レベルの指定として纏めて行うことが可能となっている。
【００５８】
ここでパレンタルレベル変換テーブルは、各規格におけるパレンタルレベルの各レベルの定義や主旨などが十分に考慮され、同じ共通レベルに対応する各規格のパレンタルレベル同士が、同等の厳しさとなるように作成されている。
【００５９】
そのためユーザは、所望の厳しさの共通レベルを指定するだけで、何れの規格のパレンタルレベルが設定されているコンテンツ情報の再生に対しても、視聴制限の要否判定の厳しさを所望の状態とすることが可能である。このようにディスク再生装置１は、ディスク２の種類に関わらず基準レベルの厳しさを同等にしようとするユーザ（殆どのユーザがこれに該当すると見込まれる）にとって、基準レベルの指定が簡潔かつ容易なものとなっている。
【００６０】
またディスク再生装置１によれば、規格ごとのパレンタルレベルの違いを十分には知らないユーザにとっても、この違いに戸惑うことなく、視聴制限の要否判定の厳しさを所望の状態とすることが容易となっている。
【００６１】
また図６から明らかなように、共通レベルの１レベル分（「Ｌｅｖｅｌ１」から「規制なし」までの各レベル）は、ＤＶＤ−Ｖｉｄｅｏ規格のパレンタルレベルの１レベル分（「１」から「ＯＦＦ」までの各レベル）に、対応するように決められている。すなわち共通レベルの各レベルは、ＤＶＤ−Ｖｉｄｅｏ規格のパレンタルレベルの各レベルに、一対一に対応するように決められている。
【００６２】
そのためディスク再生装置１によれば、ユーザは、ＤＶＤ−Ｖｉｄｅｏ規格のパレンタルレベルに対する基準レベルを指定するような感覚で、何れの規格のパレンタルレベルに対する基準レベルをも、適切に指定することが可能となっている。なおパレンタルレベル変換テーブルをどのような方針で作成しておくかについては、上述したものには限られず、ユーザのニーズ等に応じて様々な方針とすることが可能である。
【００６３】
［その他］
以上に説明した通りディスク再生装置１は、ＢＤ−ＲＯＭ規格（第１規格）のパレンタルレベルおよびＤＶＤ−Ｖｉｄｅｏ規格（第２規格）のパレンタルレベルのうちの、何れが設定されたコンテンツ情報をも再生する装置となっている。
【００６４】
そしてディスク再生装置１は、複数のレベルからなる共通レベルについて、任意のレベルの指定を受付ける機能部（指定受付部）と、共通レベルの各レベルを規格ごとのパレンタルレベルの何れかのレベルに対応付けるパレンタルレベル変換テーブル（対応情報）を格納する機能部（対応情報格納部）と、再生対象のコンテンツ情報に設定されたパレンタルレベルと基準レベルとの比較結果に応じて、再生の制限を行う機能部（再生制限部）と、を備えている。
【００６５】
そして更にこの再生制限部は、指定のなされた共通レベルに対応付けられているパレンタルレベルのうち、再生対象のコンテンツ情報に設定されたパレンタルレベルの規格のものを、基準レベルとするようになっている。
【００６６】
そのためディスク再生装置１によれば、ユーザは、各規格についての基準レベルの指定を、共通レベルの指定として纏めて行うことが可能となっている。その結果、規格ごとに基準レベルの指定が必要なものに比べ、基準レベルの指定に関する利便性が大きく向上している。
【００６７】
また本発明の実施形態について以上の通り説明したが、上述したものは実施形態の一例に過ぎない。本発明はその主旨を逸脱しない範囲において、様々な形態で実施され得る。当該実施形態の変形例としては、例えば次のようなものが挙げられる。
【００６８】
ディスク再生装置１は、ＢＤ−ＲＯＭ規格およびＤＶＤ−Ｖｉｄｅｏ規格のパレンタルレベルに応じて視聴制限を行うようになっているが、その他にも、ＣＳやＢＳの規格といった様々な規格のパレンタルレベルに応じて、視聴制限が行われるようにしても構わない。すなわち、どの規格のパレンタルベルに応じて視聴制限が行われるようにするかについては、様々な形態とすることが可能である。
【００６９】
またディスク再生装置１に付属ディスプレイを備えておくようにし、上述の説明ではディスプレイ３１に表示されていたものが、この付属ディスプレイに表示されるようにしても良い。この場合ディスク再生装置１は、コンテンツ情報の再生を、他機を用いずに実現させることが可能である。
【００７０】
また上述の実施形態では、再生の制限は、再生が実行されないようにする処理となっているが、何らかの視聴制限が実現されるようになっている限り、他の形態であっても構わない。一例を挙げれば、再生の制限は、再生映像にモザイクをかける処理や、本来の映像に代えて用意されている代替映像（例えば、大人向けのシーンがカットされた映像）を表示する処理であっても良い。
【００７１】
またディスク再生装置１は、再生だけでなく録画についても、パレンタルレベルに応じた制限を行うようにしてもよい。例えば、基準レベルが録画対象に設定されているパレンタルレベルより厳しいときには、録画対象の録画（ＨＤＤ１２への記録）が実行されないようにしてもよい。
【００７２】
またコンテンツ情報の形態としては、例えば、コンテンツの映像データと音声データの両方を含む形態や、これらのうちの一方だけを含む形態であっても構わない。何れの場合であっても、本発明を適用することが可能である。
【産業上の利用可能性】
【００７３】
本発明は、ディスク再生装置などに利用することができる。
【符号の説明】
【００７４】
１    ディスク再生装置（再生装置）
２    ディスク
３    画像表示機器
１１    ディスク読取部
１２    ＨＤＤ
１３    再生信号生成部
１４    信号出力部
１５    付属ディスプレイ
１６    制御部
１７    操作部
１７ａ  操作スイッチ
１７ｂ  リモコン受信部
１７ｃ  リモコン送信機
１８    筐体
１９    ディスク挿入口
３１    ディスプレイ
４１    矢印
【図１】
2012105003.tif 000003
【図２】
2012105003.tif 000004
【図３】
2012105003.tif 000005
【図４】
2012105003.tif 000006
【図５】
2012105003.tif 000007
【図６】
2012105003.tif 000008
【図７】
2012105003.tif 000009
【図８】
2012105003.tif 000010
【図９】
2012105003.tif 000011